(57)【特許請求の範囲】
【請求項１】
オゾンガスあるいはオゾン水発生装置と、
皮膚に密着させて発生したオゾンガスあるいはオゾン水を注入して疾患部に噴霧する皮膚カップリング装置と、
注入したオゾンガスあるいはオゾン水を前記皮膚カップリング装置内から吸引し、かつ、前記皮膚カップリング装置内を真空にする吸引装置と、
皮膚を加圧してオゾンガスあるいはオゾン水を皮膚内に含浸させる前記皮膚カップリング装置の上流に設けた加圧装置と、
前記吸引装置の上流に設けたオゾンガスあるいはオゾン水分解装置と、からなり、さらに、
前記皮膚カップリング装置の先端に着脱式アダプターを装着し、該アダプターに少なくとも一個以上の気孔及び注射針を設けてオゾンガスあるいはオゾン水を疾患部に噴霧、含浸させるようにした、オゾン治療装置。
【発明の詳細な説明】
【技術分野】
【０００１】
本発明は、人体の皮膚の様々な疾患の治療等のために皮膚に当接させてオゾンガスやオゾン水を皮膚表面および皮膚内に含浸させて治療する治療装置に関し、とくに、ざ瘡（にきび）の治療に用いるオゾン治療装置に関する。
【背景技術】
【０００２】
近年、オゾン（Ｏ3）の高い殺菌作用を利用した機器が様々な分野での応用が注目されつつある。
【０００３】
現在、最も大量のオゾンを使用しているのは、上下水道の浄化で、水の殺菌および脱臭の目的で利用されている。その他に、オゾンは、（ｉ）食品殺菌・鮮度の保持、（ii）プール・浴場用の水の殺菌、有機物低減、（iii）水族館・養魚場・動物園の用水の殺菌・脱色・有機物低減、（iv）温室栽培・水耕栽培の殺菌、（ｖ）冷蔵庫・冷凍室内の殺菌・脱臭、（vi）パルプの漂白、（vii）室内空気の殺菌・脱臭、（viii）工場排水の脱臭・有害物質の除去、（iｘ）半導体微量有機物の除去、等に用いられている。
【０００４】
また、オゾンは、他の殺菌剤や酸化剤などのように、残留性がなく、しかも、有害有機物を分解・無害化する作用があることから、環境を重視する昨今の世界的風潮の中で、その利用範囲は、今後、飛躍的に拡大していくと考えられている。
【０００５】
さらに、オゾンを医療に使用する試みは、２０世紀半ばから行われ、病院内の病室等の殺菌や消臭等への応用や医療機器の殺菌、治療用等として、広く脚光を浴びてきている。こうした医療分野で最もオゾンが活用されている機器には、歯科用の虫歯治療用オゾン発生器がある（非特許文献１）。
【０００６】
オゾンは、３つの酸素原子をもつが非常に不安定な状態であり、そのうちの一つの原子が他の物質に移行することでＯ2、すなわち安定した酸素分子になろうとする性質がある。そのために強い酸化作用をもっている。その酸化作用の強さは、フッ素に次いで強く、過酸化水素、塩素、次亜塩素酸などよりも強い酸化力をもっており、殆どの有機物や金属がオゾンによって酸化される。
【０００７】
医療用としてのオゾンは、オゾン含有気体（オゾンガス）として、あるいはオゾンを水に溶かしたオゾン水として使用されている。しかし、その殆どは、その強力な酸化作用により、（ｉ）殺菌、（ii）脱臭、（iii）有機物除去、（iv）脱色、（ｖ）有害物除去、（vi）化学物質合成、等に用いられている。
【０００８】
皮膚疾患の原因となる皮膚常在菌として最も多いのは、ブドウ球菌の一種である表皮ブドウ球菌で、皮膚表面１ｃｍ2あたり数百から数十万個に及ぶ。次いで、ざ瘡（アクネ）棹菌（にきび菌）でざ瘡１ｃｍ2あたり数十から数百万個いる。ここで表皮ブドウ球菌とざ瘡（アクネ）棹菌は、ともに皮脂肪を好む。また、ざ瘡棹菌は、空気を嫌ういわゆる嫌気性の細菌であるので、毛孔閉鎖が進めば進むほど、人体の毛包内で増殖することになる。毛包内に貯留した皮脂が、これらの細菌によって分解されると、遊離脂肪酸に変化し、この遊離脂肪酸は、皮膚細胞に強い刺激を与える起炎症物質の一つとなる。このように、面皰（めんぼう）とかコメドとかいわれる皮脂が毛包内にたまった状態からざ瘡（にきび）へと症状が進むのは、前述したざ瘡棹菌が関係している。そして、炎症症状はやがて紅色丘疹となり、この丘疹部分が化膿すると膿疱ができる。
【０００９】
にきび治療用の機器としては、現在、アミノレブリン酸を皮膚表面に塗布した後、紫外線領域（４００ｎｍから５００ｎｍ）の光を皮膚に照射し一重項酸素（1Ｏ2）を発生させることで、アクネ棹菌（にきび菌）を死滅させる方法（略称ＰＤＰ）（非特許文献２）や、フォトニュマティック・セラピー（略称ＰＰｘ）等皮膚表面を吸引しながら４４０ｎｍ〜５５０ｎｍのフラッシュ光を皮膚表面に照射することで、にきび菌を死滅させる方法等がある（非特許文献３）。
【００１０】
しかし、現在、使用されている殆どのこの種のにきび治療用機器は、光を用いたものであるため、肌の色や日焼け直後などには治療ができなかったり、また、光がにきび菌に直接ダメージを与えることが無いので、すぐに治療効果が現れず、さらに数回の治療を要したりする等の問題点があった。
【００１１】
さらに、従来のにきび治療用機器は、オゾンガスやオゾン水を皮膚疾患の表面に散布するだけであり、オゾンガスの不安定さにより殺菌の毒性効果がすぐ失われてしまうため、オゾンガス等を皮膚孔内や深部に浸透（含浸）させることが極めて困難であった。また、にきびのような、皮脂腺の奥深くに疾患があるときには、オゾンガスやオゾン水が当該疾患部に十分到達しない問題点があった。
【非特許文献１】http://jp.kavo.com/produkte/therapei#instrumente/healozone/healozone.asp?navid=26&lan=Js
【非特許文献２】http://www.nikibi.l.net/30/post#24.html
【非特許文献３】http://www.medieth.com/camp/cam#nikibi.html
【発明の開示】
【発明が解決しようとする課題】
【００１２】
そこで、本発明は、皮膚表面に陰圧状態を作ることで、皮脂腺内の面皰を皮膚表面に摘出し、オゾンガスやオゾン水を皮膚内に深く浸透させるとともに、オゾンガス等をさらに完全に皮膚内に注入するために注射針を用いて、細菌による皮膚疾患を効率よく治療することを目的とする。
【課題を解決するための手段】
【００１３】
本発明のにきび疾患用オゾン治療装置は、オゾンガスあるいはオゾン水の注入のオン・オフを制御するバルブを備えたオゾンガスあるいはオゾン水発生装置と、オゾンガスあるいはオゾン水が皮膚外部に漏れないように密着させて、オゾンガスあるいはオゾン水を疾患部に噴霧する気孔を備え、かつ、オゾンガスあるいはオゾン水を皮膚内に注入するための少なくとも一本以上の注射針を備えた皮膚カップリング装置と、皮膚に密着させたカップリング装置内を陰圧状態にし、皮膚腺内の面皰や汚れを摘出し、かつ、皮脂腺内奥深くまでオゾンガスあるいはオゾン水を含浸させ、かつ、オゾンガスやオゾン水を吸引するための吸引装置と、吸引装置により吸引されたオゾンガスあるいはオゾン水を分解するオゾンガスあるいはオゾン水分解装置と、皮膚を加圧してオゾンガスあるいはオゾン水を皮脂腺内に含浸させ、かつ、その加圧のオン・オフを制御するバルブを備えた加圧装置からなる。
【発明の効果】
【００１４】
真空で吸引した疾患部（にきび）を有する皮下組織内にオゾンガスあるいはオゾン水を噴霧・注入することにより、オゾンガスあるいはオゾン水が毛孔内深部に入り込むことができ、当該毛孔内深部の細菌に殺菌作用を十分施すことができるようになる。
【発明を実施するための最良の形態】
【００１５】
以下、本発明のにきび疾患用オゾン治療装置の実施例を添付した図面に基づいて詳細に説明する。
【００１６】
図１は、本発明のにきび疾患用オゾン治療装置１の一実施例を示し、オゾンガスあるいはオゾン水発生装置４（以下、“オゾンガス（水）発生装置”という）と、オゾンガスあるいはオゾン水が皮膚外部に漏れないように皮膚に密着させてオゾンガスあるいはオゾン水を疾患部に噴霧する気孔を備え、かつオゾンガスあるいはオゾン水を皮膚内に注入するための少なくとも一本以上の注射針１０を備えた皮膚カップリング装置２と、皮膚カップリング装置２と皮膚間にオゾンガスもしくはオゾン水を注入し、かつ、その注入のオン・オフを制御するバルブ８を備えた注入装置と、皮膚を加圧してオゾンガスあるいはオゾン水を皮膚内に含浸させ、かつ、その加圧のオン・オフを制御するバルブ７（コンプレッサー・バルブ）を備えた加圧装置５（コンプレッサー）と、皮膚に密着させたカップリング装置２から注入したオゾンガスやオゾン水をバルブ７（真空ポンプ・バルブ）を経て吸引する吸引装置６（真空ポンプ）と、吸引したオゾンガスやオゾン水を分解するオゾンガス分解装置１３と、から構成されている。
【００１７】
なお、オゾンガスはオゾン水と比して数十倍の殺菌効果があるとされている（柏木義勝外、オゾンガスとオゾン水の殺菌効果の相違に関する検討、医科器械学Ｖｏｌ．５７，Ｎｏ．４（１９８７，１８４頁参照））。
【００１８】
とくに、図２に示すように、皮膚カップリング装置２の先端に着脱自在に装着される着脱式アダプター３は、プラスチック材料（例えば、アクリル樹脂（ＰＭＭＡ））からなり、環状の本体部３ａとその内側環状壁３ｄを脚部３ｅを介して連結する連結部３ｃと、本体部３ａの下端部に装着されたシリコンゴムからなる当接部３ｂと、カップリング装置２の先端雄ネジ部に螺合される雌ネジ部３ｆとからなり、該連結部３ｃには、図２（ｂ）に示すように、複数の、例えば５本の先端が鋭利に形成された、注射針１０が連結部３ｃの上下面から突出するように植設されている。さらに、連結部３ｃには中心に設けた注射針１０と同心円上に多数の気孔１２（孔径：１００μｍ）が穿設されている。
【００１９】
ここで、これらの注射針１０は、中空体からなり、かつ、先端が鋭く尖って形成された、例えば、その長さ１０〜２０ｍｍ、中空部（孔）の直径８０μｍ、外径２００μｍのものを用いる（市販品では、岡野工業株式会社製の無痛針、商品名：ナノパス３３が好適である）。
【００２０】
また、注射針１０の材質は、アルミニューム、ステンレス鋼、ニツケル、タンタル、モリブデン、純鉄が好適である。
【００２１】
皮膚カップリング装置２は、オゾンに腐食しにくいステンレス鋼やチタン等を用い、例えば、その直径２０〜３０ｍｍ、長さ１００から１５０ｍｍとする。その例を図５に示す。
【００２２】
そして、図６に示すように、オゾンガス（水）発生装置、コンプレッサー、真空ポンプ、オゾンガス分解装置等をケーシング内に収納し、皮膚カップリング装置をケーシングから延出して、携帯式治療装置として用いることもできる。
【００２３】
次に本発明の皮膚疾患用オゾン治療装置１の操作方法を図３及び図４を用いて説明する。
【００２４】
まず、図３（ａ）、図４（ａ）及び図６に示すように、皮膚の疾患部（にきび）を囲むように、皮膚カップリング装置２に装着した着脱式アダプター３を皮膚に対して押圧して、密着させてから、オゾンバルブ８と真空バルブ９とを開放し、オゾンガス（水）発生装置４から管路８ａとオゾンバルブ８を経てカップリング装置２の中央孔２ａ内にオゾンガス（水）を引き込む（第１ステップ）。なお、着脱式アダプター３には、注射針１０を植設し、さらに多数の気孔１２を形成したものの外に、注射針１０のみを植設したもの、あるいは気孔１２だけを形成したものを用意し、にきび等の皮膚疾患の程度・状態により、それぞれ付け替えて使用することも可能である。なお、皮膚カップリング装置２の先端部と着脱式アダプター３の当接面には、２個のオーリング２ｃ，２ｄを介装する。
【００２５】
次いで、図３（ｂ）と図４（ｂ）に示すように、オゾンバルブ８とコンプレッサーバルブ７を閉じ、真空バルブ９を用いてカップリング装置２で囲った皮膚の部分を真空ポンプ６により１〜６ｋＰａの真空圧で管路９ａと孔２ｃを経て吸引する。これにより、疾患部（にきび）は、引張られてアダプター３に植設した注射針１０に、図４（ｂ）に当接して、注射針１０が皮膚の内部に刺し込まれる（第２ステップ）。
【００２６】
さらに、図３（ｃ）と図４（ｃ）に示すように、オゾンバルブ８を開いてカップリング装置２内を常圧（大気圧）にするとともに、オゾンガス（水）を注射針１０の孔から皮膚に注入し、また当接したアダプター３の気孔１２及び脚部３ｅ間に形成された孔３ｇを介して空間Ｓ内に噴霧する（第３ステップ）。
【００２７】
最後に、コンプレッサーバルブ７を開き、オゾンバルブ８と真空バルブ９を閉じてから、皮膚を１〜３ｋＰａの圧力で管路７ａと孔２ｃを経て加圧し、オゾンガスあるいはオゾン水を皮膚内に含浸（浸透）させる（第４ステップ）。
【００２８】
第１ステップから第４ステップを所定回数（数回）繰り返した後、すべてのバルブを閉じて疾患部（にきび）治療を終了する。
【００２９】
なお、オゾンガスあるいはオゾン水にビタミンあるいは他の薬剤を混ぜることにより、さらに、にきびの治療効果を高めることができる。
【産業上の利用可能性】
【００３０】
本発明のオゾン治療装置は、ざ瘡（にきび）の治療のほかに、褥瘡等他の皮膚疾患の治療に利用可能である。
【図面の簡単な説明】
【００３１】
【図１】本発明のにきび疾患用オゾン治療装置の一実施例の概念図である。
【図２】図１に示した本発明のオゾン治療装置の皮膚カップリング装置の先端に装着する着脱式アダプターを示し、図２（ａ）は、その平面図を、また、図２（ｂ）は、図２（ａ）のＡ−Ａ矢視断面図を示す。
【図３】本発明のオゾン治療装置の操作手順を示し、図３（ａ）は、オゾンバルブと真空バルブとを開き、オゾンガス（水）を皮膚カップリング装置内に引き込んだ状態を、図３（ｂ）は、オゾンバルブとコンプレッサーバルブとを閉じ、真空バルブを開いて皮膚を吸引した状態を、図３（ｃ）は、オゾンバルブを開いてカップリング装置内を常圧（大気圧）にするとともに、オゾンガス（水）を皮膚に噴霧した状態を、また、図３（ｄ）は、コンプレッサーバルブを開き、オゾンバルブと真空バルブを閉じて、皮膚を加圧した状態を、それぞれ示す（ただし、ここには、着脱式カップリングは図示されていない）。
【図４】皮膚カップリング装置に着脱式アダプターを装着して皮膚の疾患部（にきび）に当接した状態を示し、図４（ａ）は、図３（ａ）に、図４（ｂ）は、図３（ｂ）に、図４（ｃ）は、図３（ｃ）に、また図４（ｄ）は、図３（ｄ）に対応した状態を、それぞれ示す。
【図５】皮膚カップリング装置から着脱式アダプターを外した斜視図を示す。
【図６】本発明のオゾン治療装置を疾患部（にきび）に密着させて治療していく状態を示す。
【符号の説明】
【００３２】
１  にきび疾患用オゾン治療装置
２  皮膚カップリング装置
３  着脱式アダプター
４  オゾンガス（水）発生装置
５  コンプレッサー
６  真空ポンプ
７  コンプレッサー用バルブ（コンプレッサーバルブ）
８  オゾンガス（水）発生装置用バルブ（オゾンバルブ）
９  真空ポンプ用バルブ（真空バルブ）
１０  注射針
１１  ネジ部
１２  気孔
１３  オゾン分解装置
【図１】
0004388115.tif 000002
【図２】
0004388115.tif 000003
【図３】
0004388115.tif 000004
【図４】
0004388115.tif 000005
【図５】
0004388115.tif 000006
【図６】
0004388115.tif 000007